(57)【要約】      （修正有）【課題】多様な書籍サイズに対応することの出来るブックカバーを提供する。【解決手段】ブックカバー１は、正面視で外形が長方形形状に形成された第１カバーとしての上部カバー１０と、上部カバー１０の長辺を形成する一方の側縁側に重ねて配置された第２カバーとしての下部カバー２０とを備え、正面視で上部カバー１０と下部カバー２０の短辺を形成する側縁近傍にはそれぞれ孔が形成され、一端が下部カバー２０に接続され、下部カバー２０の孔としての下部挿通孔２４に挿通された後に、上部カバー１０の孔としての上部挿通孔１６に挿通され、他端側が上部カバー１０に、着脱自在に留められる締め紐３０をさらに備え、一端から上部カバー１０に留められた位置までの長さを調整することが可能である。【選択図】図１
2020082420.tif 000002
【特許請求の範囲】
【請求項１】
正面視で外形が長方形形状に形成された第１カバーと、第１カバーの長辺を形成する一方の側縁側に重ねて配置された第２カバーとを備え、正面視で第１カバーと第２カバーの短辺を形成する側縁近傍にはそれぞれ孔が形成され、一端が第２カバーに接続され、第２カバーの孔に挿通された後に、第１カバーの孔に挿通され、他端側が第１カバーに、着脱自在に留められる紐をさらに備え、一端から第１カバーに留められた位置までの長さを調整することが可能なカバー。
【請求項２】
紐は、一端が、第２カバーの孔より中央側に接続され、他端側が、第１カバーの孔より中央側に留められる請求項１に記載のカバー。
【請求項３】
紐は、他端側が、第１カバーに留められた部分の先が、栞として機能する請求項１又は２に記載のカバー。
【発明の詳細な説明】
【技術分野】
【０００１】
本発明は多様なサイズの書籍やノート、手帳などに対応するカバーに関するものである。
【背景技術】
【０００２】
従来のブックカバーは、適用できる書籍サイズが単一であったが、多様な書籍サイズに適用できるサイズ変更可能なブックカバーも市販されるようになってきた。市販されるサイズ変更可能なブックカバーの多くは書籍のサイズに合わせて、ブックカバーの縦方向サイズと横方向サイズを折り曲げることで多様な書籍サイズに対応するつくりとなっている。
【０００３】
しかし、この方法では素材によっては縦方向における折り曲げ箇所が鋭角に曲がらず膨らんでしまい、書籍に取りつけたときにブックカバーがかさ張ってしまうという課題がある。特に縦方向と横方向の折り曲げが重なる箇所は厚くかさ張ってしまい、読書しづらくなってしまう。さらに２方向から折り曲げることで局所的に素材への負担が大きくなってしまう。紙のように薄い布や革など特殊な素材を使用することで厚みは解消できるが、使用できる素材が限られ、薄くなった分、耐久性の低下も懸念される。
【０００４】
特許文献１には、上部カバーと下部カバーを設け、書籍の縦方向サイズに対してはこれらのカバーをスライドさせて調節し、書籍の横方向サイズに対しては、面ファスナーを適宜位置に係止させて調節するブックカバーが示されている。
【先行技術文献】
【特許文献】
【０００５】
【特許文献１】特開平１０−４４６４２号公報
【発明の概要】
【発明が解決しようとする課題】
【０００６】
先行技術文献では、縦方向の折り曲げをせずに上下に分離させたカバーをスライドさせて縦方向サイズを調整することで、書籍に取り付けた際のかさ張りを軽減している。一方で、分離させた上部カバーと下部カバーを固定するためにクリップや面ファスナーなどが取り入れられているが、耐久性や美観などの点で課題がある。例えば面ファスナーは経年劣化によって接着力が弱くなるし、取付け箇所が厚くかさ張ってしまう。革など高級感のある素材に使用した場合には美観を損ねかねない。市販のサイズ可変ブックカバーに用いられることがあるゴムバンドも、経年劣化によっていずれ張力が弱まってしまうという課題がある。また縦方向サイズの小さい書籍に使用した場合には張力が弱く、縦方向サイズの大きい書籍に使用した場合では張力が強すぎてソフトカバーの表紙を曲げてしまう恐れもある。
【０００７】
本発明は、かさ張らず、美観を損ねることなくサイズ変更可能なカバーを提供することを目的とする。
【課題を解決するための手段】
【０００８】
本発明は正面視で外形が長方形形状に形成された第１カバーと、第１カバーの長辺を形成する一方の側縁側に重ねて配置された第２カバーとを備え、正面視で第１カバーと第２カバーの短辺を形成する側縁近傍にはそれぞれ孔が形成され、一端が第２カバーに接続され、第２カバーの孔に挿通された後に、第１カバーの孔に挿通され、他端側が第１カバーに、着脱自在に留められる紐をさらに備え、一端から第１カバーに留められた位置までの長さを調整することが可能である。
【０００９】
紐は、一端が、第２カバーの孔より中央側に接続され、他端側が、第１カバーの孔より中央側に留められる。
【００１０】
紐は、他端側が、第１カバーに留められた部分の先が、栞として機能する。
【発明の効果】
【００１１】
本発明は、かさ張らず、美観を損ねることなくサイズ変更可能なカバーを提供できる。
【図面の簡単な説明】
【００１２】
【図１】本発明の実施形態に係るブックカバーを表面側から見た図である。
【図２】本発明の実施形態に係るブックカバーを裏面側から見た図である。
【図３】本発明の実施形態に係るブックカバーを書籍に取り付けた状態を説明する図である。
【図４】本発明の実施形態に係るブックカバーを書籍に取り付けた状態を説明する図である。
【図５】本発明の実施形態に係るブックカバーの締め紐の使い方を説明する図である。
【図６】本発明の実施形態に係るブックカバーの変形例を説明する図である。
【発明を実施するための形態】
【００１３】
本発明の実施形態に係るカバーの一例であるブックカバー１は、正面視で外形が長方形形状に形成された第１カバーとしての上部カバー１０と、上部カバー１０の長辺を形成する一方の側縁側に重ねて配置された第２カバーとしての下部カバー２０とを備え、正面視で上部カバー１０と下部カバー２０の短辺を形成する側縁近傍にはそれぞれ孔が形成され、一端が下部カバー２０に接続され、下部カバー２０の孔としての下部挿通孔２４に挿通された後に、上部カバー１０の孔としての上部挿通孔１６に挿通され、他端側が上部カバー１０に、着脱自在に留められる締め紐３０をさらに備え、一端から上部カバー１０に留められた位置までの長さを調整することが可能である。
【００１４】
締め紐３０は、一端が、下部挿通孔２４より中央側に接続され、他端側が、上部挿通孔１６より中央側に留められる。
【００１５】
締め紐３０は、他端側が、上部カバー１０に留められた部分の先が、栞として機能する。
【００１６】
本実施形態は上部カバー１０と下部カバー２０から構成される。上部カバー１０と下部カバー２０は革や布などの素材からなる。
【００１７】
下部カバー２０は締め紐３０と、中央目安線３下端の側縁２１に取り付けられた書籍受止め部２５、上部カバー２０を差し込む上部カバー差し込み部２２と、上部カバー差し込み部２２に設けられた下部舌状部２３、上部カバー差し込み部２２の裏側に設けられた締め紐３０を通す下部挿通孔２４からなる。
【００１８】
上部カバー差し込み部２２は下部カバー２０の横方向における両端に設ける。例えば下部カバー２０の横方向における両端を折り返して、それぞれの下方縁を縫合したものである。上部カバー差し込み部２２の下方縁に下部舌状部２３を設け、書籍を挟持することで下部カバー２０と書籍がずれないようにする。下部カバー２０裏面の中央目安線３上の下方縁に書籍受け部２５を設け、書籍の背表紙を支える。表紙側と裏表紙側の下部舌状部２３、書籍受け部２５の３点で書籍を下方から支持することで、読書中に書籍がずれ落ちることを防げる。
【００１９】
書籍受け部２５の近傍に、それぞれ締め紐３０の一端を取り付ける。締め紐３０は上部カバー１０と下部カバー２０を繋ぎ、固定する役割を果たす。上部差し込み部の裏側には締め紐３０を通す下部挿通孔２４を上方と下方に設ける。
【００２０】
上部カバー１０には締め紐３０を通す上部挿通孔１６と、上部カバー１０の裏面から表面へと締め紐３０を経由する中継係止部１３、締め紐３０の長さを固定する留め具１４と中央係止部１２からなる。中継係止部１３と中央係止部１２は例えば本体の側縁１１に形成された切れ目である。
【００２１】
上部カバー１０の横方向サイズは下部カバー２０と同程度とし、縦方向サイズは下部カバー２０より大きいものとする。上部カバー１０の縦方向サイズは使用可能な書籍のうちで最小サイズ（例えば文庫サイズ）に対応する。
【００２２】
上部カバー１０の上部挿通孔１６は下部カバー２０の下部挿通孔２４と横方向において同じ位置にあり、下部カバー２０を重ねたときでも重ならない位置に２つずつ設ける。上部挿通孔１６近傍の側縁１１には上部舌状部１５を設け、書籍を上方から挟持することで上部カバー１０と書籍がずれないようにする。書籍への装着時、下部挿通孔２４と上部挿通孔１６は表紙と裏表紙の裏側に位置するため、締め紐３０を表側に渡すために中央目安線３近傍の側縁１１に中継係止部１３を設ける。
上部カバー１０表面の中央目安線３上の側縁１１には、締め紐３０の長さを固定するための留め具１４を設ける。留め具１４は例えば締め紐３０を巻きつけて固定できるボタンやコンチョ、組みネジなどからなる。留め具１４で長さが固定された２本の締め紐３０を束ねるため、中央目安線３上の側縁１１に中央係止部１２を設けて、締め紐３０を集約できるようにする。
【００２３】
締め紐３０は下部挿通孔２４と、上部挿通孔１６をそれぞれ下方から挿通した状態とする。締め紐３０の先端には締め紐留め部３１を設け、下部挿通孔２４と上部挿通孔１６から締め紐３０が抜け落ちることがないようにする。締め紐留め部３１によって上部カバー１０と下部カバー２０の離散を防ぐことができる。
本実施形態は以上の構成となっている。
【００２４】
ブックカバー１の使用方法を以下に説明する。
上部カバー１０を下部カバー２０の上部カバー差し込み部２２に差し入れ、上部カバー１０と下部カバー２０が横方向にずれないよう固定する。上部カバー１０と下部カバー２０の重なり具合を縦方向に動かして調節することで、書籍の縦方向サイズに対応できる。書籍の背表紙がブックカバー１の中央目安線３にくるように配置して書籍全体を包み、ブックカバー１の余剰部２をそれぞれ書籍の表紙と裏表紙の内側に折り込むことで、書籍の厚みや表紙の幅など横方向サイズに対応することができる。
【００２５】
余剰部２に属する上部カバー差し込み部２２に設けられた下部舌状部２３と上部舌状部１５を書籍とブックカバー１表面の間に差し込む。
【００２６】
ブックカバー１が書籍に装着されたら、上部挿通孔１６を通過している締め紐留め部３１を持ち、背表紙の方向に引き締める。
【００２７】
締め紐３０を引き締めることで余剰部２が書籍の内側に引き込まれ、横方向におけるブックカバー１のたるみが解消され、ブックカバー１表面と余剰部２とで書籍を挟持する力が強くなる。また上部舌状部１５と下部舌状部２３も書籍と密着することになり、書籍を挟持する力がより強くなる。締め紐３０を引き締めることで上部カバー１０と下部カバー２０が縦方向において互いに引き寄せられる力が働くが、上部舌状部１５と下部舌状部２３が書籍を上下方向から支持することで上部カバー１０と下部カバー２０がずれ動くことはなく、力の均衡した状態が維持される。
【００２８】
引き締めた締め紐３０は張力を維持するために中継係止部１３を経由して、上部カバー１０表面に設けられた留め具１４と中央係止部１２に固定することで、たるみがない状態を維持することができる。
【００２９】
図5に示すように、余った締め紐３０はそのまま栞として使用できる。締め紐３０は２つの栞として、それぞれ書籍の別の箇所に挟んで使用してもいいし、２つの締め紐留め部３１を組み合わせて結合することで１つの栞として使用することもできる。
【００３０】
小さいサイズの書籍に装着して締め紐３０の余剰部分が大きくなった場合は、余剰部２の上部カバー１０と下部カバー２０の重なりにできた隙間に収納することができる。または留め具１４を中央目安線３上に別途設けて、図６に示すように２つの留め具１４に締め紐３０を巻くことで、余剰の締め紐３０の長さを調節するようにしてもよい。
【００３１】
本実施形態では、カバーの一例としてブックカバーについて説明したが、これに限らず、カバーはノートや手帳などのカバーに適用してもよい。
【００３２】
本発明ではサイズ調節に紐を用いることで、面ファスナーやゴムバンドなどで形成した場合に比べ、消耗による性能劣化を低減できる。また消耗して切れた場合も容易に紐を交換することができる。
【００３３】
本発明は構造がシンプルで複雑な形状を必要としないため、製造の工数を押さえることができる。紙のように薄い特殊な素材にも限定されず、革や布などさまざま素材を使用することができる。
【符号の説明】
【００３４】
１・・・ブックカバー
２・・・余剰部
３・・・中央目安線
１０・・・上部カバー
１１・・・側縁
１２・・・中央係止部
１３・・・中継係止部
１４・・・留め具
１５・・・上部舌状部
１６・・・上部挿通孔
２０・・・下部カバー
２１・・・側縁
２２・・・上部カバー差し込み部
２３・・・下部舌状部
２４・・・下部挿通孔
２５・・・書籍受け部
３０・・・締め紐
３１・・・締め紐留め部
【図１】
2020082420.tif 000003
【図２】
2020082420.tif 000004
【図３】
2020082420.tif 000005
【図４】
2020082420.tif 000006
【図５】
2020082420.tif 000007
【図６】
2020082420.tif 000008